(57)【要約】【課題】簡易な構成部材でストレスなく衛生薄葉紙を取り出せるディスペンサー用のアタッチメント及びディスペンサーを提供することを目的とする。【解決手段】  衛生薄葉紙３を収納するディスペンサー用アタッチメント１であって、長手方向長さより長い１枚の樹脂板によって構成され、長手方向長さより長い１枚の樹脂板によって構成され、長手方向中央に設けられ、衛生薄葉紙３を搭載する載置部１１と、載置部１１の両側に設けられ、載置部１１に搭載された衛生薄葉紙３の位置を規制する保持部１２と、を備え、載置部１１は、垂直方向に対してブリッジ状に曲げ形成されてなり、保持部１２は、載置部１１の両側で折り曲げられて立設される。【選択図】図１
2016222263.tif 000002
【特許請求の範囲】
【請求項１】
衛生薄葉紙を収納するディスペンサー用アタッチメントであって、
長手方向長さより長い１枚の樹脂板によって構成され、
長手方向中央に設けられ、前記衛生薄葉紙を搭載する載置部と、
前記載置部の両側に設けられ、前記載置部に搭載された前記衛生薄葉紙の位置を規制する保持部と、を備え、
前記載置部は、垂直方向に対してブリッジ状に曲げ形成されてなり、
前記保持部は、前記載置部の両側で折り曲げられて立設されることを特徴とするディスペンサー用アタッチメント。
【請求項２】
衛生薄葉紙を収納するディスペンサー用アタッチメントであって、
長手方向長さより長い１枚の樹脂板によって構成され、
長手方向中央に設けられ、前記衛生薄葉紙を搭載する載置部と、
前記載置部の両側の幅方向中心に設けられ、前記載置部に搭載された前記衛生薄葉紙の位置を規制する保持部と、
前記保持部の幅方向両端に設けられた脚部と、を備え、
前記載置部は、垂直方向に対してブリッジ状に曲げ形成されてなり、
前記保持部は、前記樹脂板を切り起こして形成され、
前記脚部は、前記載置部の両側で折り曲げられて形成されることを特徴とするディスペンサー用アタッチメント。
【請求項３】
前記載置部は、仮想水平線に対して１５度以上４５度以下の角度となるようブリッジ状に曲げ形成されることを特徴とする請求項１または請求項２に記載のディスペンサー用アタッチメント。
【請求項４】
前記樹脂板は、０．２５ｍｍ以上０．９５ｍｍ以下の厚さを有することを特徴とする請求項１から請求項３のいずれか１項に記載のディスペンサー用アタッチメント。
【請求項５】
さらに、前記脚部が長手方向の長さを調整する折り曲げ部を有し、
前記折り曲げ部は、前記樹脂板をエンボス加工することにより形成されることを特徴とする請求項２から請求項４のいずれか１項に記載のディスペンサー用アタッチメント。
【請求項６】
衛生薄葉紙を収納するディスペンサーであって、
上面部と、底面部と、一対の側面部と、一対の妻面部と、を有し、
これらの面により直方体または立方体の形状を有し、
前記衛生薄葉紙を収容し得る内部空間と、
１つの面にスリット状の取り出し口と、を備え、
前記内部空間に装着される請求項１から請求項５のいずれか１項に記載のディスペンサー用アタッチメントと、を有することを特徴とするディスペンサー。
【発明の詳細な説明】
【技術分野】
【０００１】
本発明は、衛生薄葉紙を収納するディスペンサー用アタッチメント及びアタッチメントを備えるディスペンサーに関する。
【背景技術】
【０００２】
一般に、ティッシュペーパーやペーパータオル等のいわゆる衛生薄葉紙は、直方体または立方体形状のディスペンサーの内部空間に収納されている。使用者は、ディスペンサーの一面に設けられた取出し口から、衛生薄葉紙を１枚あるいは１組ずつ、順に引き出して使用する。
【０００３】
省資源化やコストダウンの観点から、ホテルや飲食店等の商業施設で使用される衛生薄葉紙は、無包装あるいは簡易包装された状態で、組立式のディスペンサーに収納されることが多い。近年、さらなる省資源化傾向による衛生薄葉紙１束あたりの枚数減少や、また、技術開発による衛生薄葉紙の薄化により、衛生薄葉紙の束のサイズがコンパクトになっている。しかし、現行のディスペンサーに適合するサイズよりもコンパクトな衛生薄葉紙の束が収納される場合、衛生薄葉紙の束の高さがディスペンサー内寸高さよりも低く、最初の衛生薄葉紙のシートを取り出したり、取出し口から潜ってしまった衛生薄葉紙のシートを引き出したりするためには、取出し口深くに指を挿入しなければならなかった。
【０００４】
このような問題点を解決する従来技術として、例えば、特許文献１には、本体の内壁に伸縮体を張設し、本体の外周の側面部に折り線を設け、伸縮体の作用により、自動的に取出し口が上下する詰め替えティッシュペーパー用容器が記載されている。
【０００５】
また、特許文献２には、長方形の板からなるティッシュペーパー載置部に、中央脚と中央脚とは異なる長手方向に形成する左右脚を設け、中央脚と左右脚を弾性体によりつなぐティッシュペーパー押し上げ板が記載されている。
【先行技術文献】
【特許文献】
【０００６】
【特許文献１】実用新案登録第３０７８３９４号
【特許文献２】特開２００５−０２４７３９５号公報
【発明の概要】
【発明が解決しようとする課題】
【０００７】
しかしながら、ディスペンサー自体に取出し易さを向上させる機能を備えたものは、ディスペンサーの構造が複雑になり、衛生薄葉紙の収納に手間が掛かるおそれがあった。また、衛生薄葉紙を配置する板の下部にリフトアップする脚部を備えた構造の押し上げ板では、衛生薄葉紙の束を置いた時の安定性が低く、さらにサイズが異なる衛生薄葉紙を収納する場合には、押し上げ板をその都度適当な大きさのものに取り替える必要があった。
【０００８】
そこで、本発明は、かかる点に鑑みてなされたものであり、簡易な構成部材でストレスなく衛生薄葉紙を取り出せるディスペンサー用のアタッチメントおよびディスペンサーを提供することを目的とする。
【課題を解決するための手段】
【０００９】
上記課題を解決するために、（１）本願発明にかかる１つの態様は、衛生薄葉紙を収納するディスペンサー用アタッチメントであって、長手方向長さより長い１枚の樹脂板によって構成され、長手方向中央に設けられ、上記衛生薄葉紙を搭載する載置部と、上記載置部の両側に設けられ、上記載置部に搭載された上記衛生薄葉紙の位置を規制する保持部と、を備え、上記載置部は、垂直方向に対してブリッジ状に曲げ形成されてなり、上記保持部は、上記載置部の両側で折り曲げられて立設されることを特徴とするディスペンサー用アタッチメントを提供する。
（２）本願発明にかかる１つの態様は、衛生薄葉紙を収納するディスペンサー用アタッチメントであって、長手方向長さより長い１枚の樹脂板によって構成され、長手方向中央に設けられ、上記衛生薄葉紙を搭載する載置部と、上記載置部の両側の幅方向中心に設けられ、上記載置部に搭載された前記衛生薄葉紙の位置を規制する保持部と、上記保持部の幅方向両端に設けられた脚部と、を備え、上記載置部は、垂直方向に対してブリッジ状に曲げ形成されてなり、上記保持部は、上記樹脂板を切り起こして形成され、上記脚部は、上記載置部の両側で折り曲げられて形成されることを特徴とするディスペンサー用アタッチメントを提供する。
（３）上記（１）または（２）に記載のディスペンサー用アタッチメントであって、上記載置部は、仮想水平線に対して１５度以上４５度以下の角度となるよう上記ブリッジ状に曲げ形成されてもよい。
（４）上記（１）から（３）のいずれかに記載のディスペンサー用アタッチメントであって、上記樹脂板は、０．２５ｍｍ以上０．９５ｍｍ以下の厚さを有してもよい。
（５）上記（２）から（４）のいずれかに記載のディスペンサー用アタッチメントであって、さらに、上記脚部が長手方向の長さを調整する折り曲げ部を有し、上記折り曲げ部は、上記樹脂板をエンボス加工することにより形成されてもよい。
（６）衛生薄葉紙を収納するディスペンサーであって、上面部と、底面部と、一対の側面部と、一対の妻面部と、を有し、これらの面により直方体または立方体の形状を有し、上記衛生薄葉紙を収容し得る内部空間と、１つの面にスリット状の取り出し口と、を備え、上記内部空間に装着される上記（２）から（４）のいずれかに記載のディスペンサー用アタッチメントと、を有するディスペンサーを提供する。
【発明の効果】
【００１０】
本発明によれば、簡易な構成部材でストレスなく衛生薄葉紙を取り出せるディスペンサー用のアタッチメント及びディスペンサーを提供できる。
【図面の簡単な説明】
【００１１】
【図１】（ａ）は、本発明の実施形態にかかるディスペンサー用アタッチメントの概要を示す斜視図、（ｂ）は、アタッチメントの正面図、（ｃ）及び（ｄ）は、本発明のアタッチメントの使用方法を示す説明図である。
【図２】（ａ）及び（ｂ）は、本発明の他の実施形態にかかるアタッチメントの概要を示す斜視図、（ｃ）及び（ｄ）は、本発明のアタッチメントの使用方法を示す説明図である。
【図３】（ａ）は、図２（ａ）に示すアタッチメントの展開図、（ｂ）は、図３（ａ）に示すＹ−Ｙ線に伴う断面図である。
【図４】図２（ｄ）に示すＸ−Ｘ線に沿う断面図である。
【図５】本発明の実施形態にかかる他のディスペンサーへの使用方法を示す説明図である。
【図６】（ａ）及び（ｂ）は、本発明の実施形態にかかる他のディスペンサーへの使用方法を示す説明図である。
【図７】（ａ）、（ｂ）及び（ｃ）は、本発明の実施形態にかかる他のディスペンサーへの使用方法を示す説明図である。
【発明を実施するための形態】
【００１２】
本発明のディスペンサー用アタッチメント及びアタッチメントを備えるディスペンサーの好ましい実施の形態（以下、実施形態という）を、以下に詳細に説明する。実施形態の説明の全体を通して同じ要素には同じ番号を付している。
【００１３】
まず、本発明におけるアタッチメントの一実施形態について、図１から図４に基づいて説明する。
【００１４】
図１（ａ）は、本発明の実施形態にかかるディスペンサー用アタッチメント１の概要を示す斜視図、図１（ｂ）は、アタッチメント１の正面図、図１（ｃ）及び図１（ｄ）は、アタッチメント１の使用方法を示す説明図である。図１（ａ）から図１（ｄ）に示すように、本発明の実施形態にかかるアタッチメント１は、長手方向長さより長い１枚の樹脂板によって構成され、長手方向中央に設けられ、衛生薄葉紙を搭載する載置部と、載置部１１の両側に設けられ、載置部１１に搭載された衛生薄葉紙３の位置を規制する保持部１２と、を備えており、衛生薄葉紙３を載置部１１に搭載し、ディスペンサー２内に装着して使用するものである。衛生薄葉紙３を収納するディスペンサー２は、上面部２Ａ、底面部２Ｂ、一対の側面部２Ｃ及び一対の妻面部２Ｄを有しており、これらの面により直方体または立方体の形状となっている。また、衛生薄葉紙３を収容し得る内部空間２ＩＳと、１つの面にスリット状の取り出し口２Ｓと、を備えており、この内部空間２ＩＳにアタッチメント１は装着される。図１（ｃ）及び（ｄ）に示すディスペンサー２は、衛生薄葉紙３が収納され、上面が開放された本体部２１と、スリット状の取出し口２Ｓを有し、本体部２１の開放された上面を覆うカバー部２２と、を有している。ディスペンサー２の本体部２１は、本体底面部２１ｂを取り囲むように本体側壁部２１ａを有しており、衛生薄葉紙３の収納時、本体側壁部２１ａにアタッチメント１をはめ込むことにより、アタッチメント１を固定することができる。ここで、衛生薄葉紙３をあらかじめアタッチメント１の載置部１１に搭載した状態で、本体側壁部２１ａにアタッチメント１をはめ込んでもよい。また、アタッチメント１には、本体部２１とカバー部２２とを固定するため、固定部２３を設けることが好ましい。そして、衛生薄葉紙３をアタッチメント１の載置部１１に搭載し、カバー部２２を矢印の方向にセットすることで、衛生薄葉紙３を内部に収納したアタッチメント１の使用が可能な構造となり、衛生薄葉紙３を取出し口２Ｓから引き出すことができる。
【００１５】
また、図２（ａ）及び図２（ｂ）は、他の実施形態にかかるアタッチメント１の概要を示す斜視図、図２（ｃ）及び図２（ｄ）は、アタッチメント１の使用方法を示す説明図である。である。図２に示すように、アタッチメント１は、長手方向長さより長い１枚の樹脂板によって構成され、載置部１１と保持部１２と脚部１３とを備える。載置部１１は、アタッチメント１の長手方向中央に設けられ、垂直方向に対してブリッジ状に曲げ形成されており、衛生薄葉紙３を搭載する。保持部１２は、載置部１１の両側の幅方向中心に設けられ、載置部１１に搭載された衛生薄葉紙３の位置を規制するものであり、樹脂板を切り起こして形成される。脚部１３は、保持部１２の幅方向両端に設けられ、載置部１１の両側で折り曲げられて形成される。折り曲げる方向は、図２（ａ）に示すような、内側に折り曲げて形成してもよく、また、図２（ｂ）に示すような、外側に折り曲げて形成してもよい。加工性及び本体部２１へのはめ込み容易性の観点から、脚部１３は、内側に折り曲げて形成することが好ましい。さらに、固定を強化するため接着剤あるいは両面テープを使用してもよい。
【００１６】
図１（ｂ）及び図１（ｃ）で示したアタッチメント１の使用方法と同様に、衛生薄葉紙３の収納時、本体側壁部２１ａにアタッチメント１をはめ込むことにより、アタッチメント１を固定することができる。ここで、衛生薄葉紙３をあらかじめアタッチメント１の載置部１１に搭載した状態で、本体側壁部２１ａにアタッチメント１をはめ込んでもよい。そして、衛生薄葉紙３をアタッチメント１の載置部１１に搭載し、カバー部２２を矢印の方向にセットすることで、衛生薄葉紙３を内部に収納したアタッチメント１の使用が可能な構造となり、衛生薄葉紙３を取出し口２Ｓから引き出すことができる。
【００１７】
図１（ｂ）に示すように、載置部１１のブリッジ形状は、仮想水平線Ｈに対して１５度以上４５度以下の角度θとなるよう折り曲げ形成されることが好ましい。これにより、アタッチメント１の載置部１１は、衛生薄葉紙３との接触面積が広く、衛生薄葉紙３の底部を安定して載置し、衛生薄葉紙３を高さ方向にリフトアップするとともに、衛生薄葉紙３のシートの取出し性が向上する。
【００１８】
アタッチメント１を構成する樹脂板は、ブリッジ形状に加工できる性質を有していれば、特に限定はなく、アクリル樹脂、ＡＢＳ樹脂、ポリプロピレン、ポリエチレン、ポリカーボネード等をあげることができる。アクリル樹脂は、透明性も高く、熱加工も容易で、優れた耐衝撃性を示し、さらに耐候性が高い。ＡＢＳ樹脂は、剛性、硬度、加工性、耐衝撃性、曲げ疲労性等バランスに優れる。ポリエチレン及びポリプロピレンは、他の樹脂に比べ比重が軽いが強度は高い。ポリカーカーボネートは、透明性・耐衝撃性・耐熱性・難燃性などにおいて、高い物性を示す。
【００１９】
アタッチメント１は、樹脂板の厚さが０．２５ｍｍ以上０．９５ｍｍ以下の範囲であるの好ましく、０．５０ｍｍ以上０．７５ｍｍ以下の範囲がさらに好ましい。厚さが０．７５ｍｍを超えると、しなやかさに欠けてしまい、本体部２１の内部への装着や脱着が困難になる。
【００２０】
図１に示すような、脚部１３を有していないアタッチメント１の保持部１２は、工程数が削減できることから、載置部１１と同様に、折り曲げ形成により衛生薄葉紙３が積層された高さ方向に立設されるよう加工することが好ましい。保持部１２は、衛生薄葉紙３の積層する高さ方向へ外側に傾斜する壁のように立ち、長手方向に付勢力を付与しているため、アタッチメント１とカバー部２２とを固定させるとともに、衛生薄葉紙３が長手方向へ水平移動することを規制し、衛生薄葉紙３のシートが取出し口２２ａの位置へ合わせることができる。
【００２１】
図３（ａ）は、図２（ａ）に示すアタッチメント１の展開図、図３（ｂ）は、図３（ａ）に示すＹ−Ｙ線に伴う断面図である。また、図４は、図２（ｄ）に示すＸ−Ｘ線に沿う断面図である。図３（ｂ）に示すように、アタッチメント１の載置部１１は、折り曲げ形成によりブリッジ状に加工されている。折り曲げ形成を用いることにより、載置部１１の加工が容易で、コストも抑えることができる。一方、図２に示すような脚部１３を有するアタッチメント１の保持部１２は、載置部１１の中心方向に向かって切り込み１４を形成し、衛生薄葉紙３が積層された高さ方向に立設されるよう加工することが好ましい。保持部１２を立設するための加工方法としては、折り曲げ形成やエンボス加工等、特に限定なく公知の方法を採用できるが、保持部１２の曲げ伸ばしが自由に行え、衛生薄葉紙３とカバー部２２のサイズに応じてその幅を調節できる点から、エンボス加工が好ましい。エンボス加工で保持部１２を形成する場合、例えば、樹脂板の第１面１ａ側から保持部をエンボス加工１２ａにより付与する。保持部１２が形成される領域のみにエンボス加工を施しても、短手方向の両端までエンボス加工を施してもよい。エンボス加工は、熱エンボス、超音波エンボス、加熱流体噴射処理等の方法によって、折り曲げ線を形成する加工方法であり、折り曲げやすさと強度の観点から樹脂板の厚さの２０％以上８０％以下の範囲に施すことが好ましい。また、脚部１３を形成する場合も、脚部１３の曲げ伸ばしが自由に行える観点から、エンボス加工を行い、脚部エンボス部１３ａを形成することが好ましい。エンボス加工を脚部１３に施す場合、例えば、樹脂板の第１面１ａの裏面の第２面側１ｂからエンボス加工を樹脂板の厚さの２０％以上８０％以下の範囲に施すことができる。
【００２２】
図４に示すように、保持部１２は、衛生薄葉紙３の積層する高さ方向へ外側に傾斜する壁のように立ち、長手方向に付勢力を付与しているため、アタッチメント１とカバー部２２とを固定させるとともに、衛生薄葉紙３が長手方向へ水平移動することを規制し、衛生薄葉紙３のシートが取出し口２２ａの位置へ合わせることができる。
【００２３】
図５〜図７は、本発明の実施形態にかかる他のディスペンサーへの使用方法を示す説明図である。図５に示すように、ディスペンサー２は、衛生薄葉紙３を収納し得る本体部２１と、スリット状の取出し口２Ｓを有し、本体部２１の開放された上面を覆うカバー部２２と、とを有し、本体部２１は、上面が開放され、本体底面部２１ｂに沿って連設された本体側壁部２１ａを有している。図１（ｂ）及び図１（ｃ）で示したアタッチメント１の使用方法と同様に、衛生薄葉紙３の収納時、本体側壁部２１ａにアタッチメント１をはめ込むことにより、アタッチメント１を固定することができる。また、図６に示すように、アタッチメント１は、前面が開放され、衛生薄葉紙３を収納し得る本体部２１と、スリット状の取出し口２Ｓを有し、本体部２１とハッチ式に取付けられ、本体部２１を覆うカバー部２２と、とを有するディスペンサー２に使用することができる。ハッチ式に取付けるにあたり、例えば、蝶番機構２８を本体部２１の一対の妻面部２Ｄとカバー部２２の下縁に設けることができる。カバー部２２を引き下げることにより、本体部２１の前面は開放され、内部空間２ＩＳが露出し、アタッチメント１を設置・固定することができる。さらに、図７（ａ）から（ｃ）に示すように、アタッチメント１は、ディスペンサー２の開放された一対の側面部２Ｃ又は一対の妻面部２Ｄのいずれか片側から挿入して、内部に設置し、保持部１２に付与された長手方向への付勢力により、ディスペンサー２（内）に固定することができる。
【００２４】
ディスペンサー２のサイズの違いに対応できるよう、アタッチメント１は長手方向に合わせて、寸法を長くしてもよい。また、脚部１３には、長手方向の長さを調整する折り曲げ部１３ｂを有することが好ましい。折り曲げ部１３ｂは脚部１３の外側、内側どちらに形成してもよく、脚部１３の代わりに折り曲げ部１３ｂを軸に折り曲げて、脚部１３を形成し、アタッチメント１の長さを調整する。脚部１３及び折り曲げ部１３ｂの形成方法としては、エンボス加工が好ましい。図３（ｂ）に示すように、保持部１２及び保持部１２の外側に位置する折り曲げ部１３ｂをエンボス加工で形成する場合、例えば、樹脂板の裏面側の第２面側１ｂにエンボス加工を施す。折り曲げ部１３ｂの位置及び個数は特に限定されない。折り曲げ部１３ｂは、第１面側１ａ、第２面１ｂの両面からエンボス加工することによって折り曲げやすさが向上する。エンボス加工は、熱エンボス、超音波エンボス、加熱流体噴射処理等の方法によって、折り曲げ線を形成する加工方法であり、折り曲げやすさと強度の観点から樹脂板の厚さの２０％以上８０％以下の範囲に施すことが好ましい。
【００２５】
ディスペンサー２を構成する基材は、一般的にディスペンサー２に使用し得るものであれば特に限定はなく、例えば、アクリル樹脂、ＡＢＳ樹脂、ポリプロピレン、ポリエチレン、ポリカーボネード等の樹脂や、ステンレスやアルミニウム等の金属、段ボール紙やコートボール紙等の紙、木材等をあげることができる。これらの中でも、耐水性、成型性の観点から樹脂が、意匠性の観点から、アルミニウムが好ましい。
【００２６】
衛生薄葉紙３は、ティッシュペーパー、ペーパータオル、ハンドタオル、ハンディワイパー等、特に限定せず使用することができる。また、衛生薄葉紙３の束の包装形態は、無包装又はフィルム包装等、特に限定されないが、全体が柔らかく、ディスペンサー２への固定が難しいフィルム包装が効果的にリフトアップできる。包装用のフィルム素材は、特に限定されるものではないが、例えば、ポリプロピレン、ポリエチレン、ポリビニルアルコール、ポリエチレンテレフタレート、アクリルフィルムシート等の樹脂製フィルムが採用できる。
【００２７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００２８】
１  ディスペンサー用アタッチメント
１１  載置部
１２  保持部
１３  脚部
１３ａ  脚部エンボス部
１３ｂ  折り曲げ部
１４  切り込み
２  ディスペンサー
２Ａ  上面部
２Ｂ  底面部
２Ｃ  一対の側面部
２Ｄ  一対の妻面部
２ＩＳ  内部空間
２Ｓ  取出し口
２１  本体部
２１ａ  本体側壁部
２１ｂ  本体底面部
２２  カバー部
２３  固定部
２８  蝶番機構
３  衛生薄葉紙
Ｈ  仮想水平線    
【図１】
2016222263.tif 000003
【図２】
2016222263.tif 000004
【図３】
2016222263.tif 000005
【図４】
2016222263.tif 000006
【図５】
2016222263.tif 000007
【図６】
2016222263.tif 000008
【図７】
2016222263.tif 000009